(57)【要約】      （修正有）【課題】単純な構造で脚を折り畳んだり伸ばしたり出来る上、また脚を伸ばした状態で安定的に固定及び維持出来る携帯用折り畳み式テーブルを提供する。【解決手段】テーブル本体１０と、テーブル本体の下底に設置されるテーブル脚２０と、テーブル脚の支持部３０とテーブル脚締結部４０から構成され、テーブル脚２０は、脚を伸ばした時テーブル本体の下底を支持する支持バー２１と、支持バー２１の両端から垂直または鈍角をなすように延長してテーブル本体１０を支持する延長部２２から構成され、テーブル脚の支持部３０にテーブル本体１０の下底に回転出来る様に一つの端が繋がれ、他の端はテーブル脚２０の延長部２２に回転出来る様に連結され、テーブル脚の締結部４０は、テーブル本体１０の下底でテーブルの両縁近くに固定的に設置されてテーブル脚２０の支持バー２１と着脱出来る様に結合してテーブル脚を固定する携帯用折り畳み式テーブル。【選択図】図１
2013223725.tif 000002
【特許請求の範囲】
【請求項１】
テーブル本体（10）と、テーブル本体の下底に設置されるテーブル脚（20）と、伸ばしたテーブル脚を支持するテーブル脚の支持部（30）と伸ばしたテーブル脚の動きを制限して固定するテーブル脚締結部（40）から構成され、
上記のテーブル脚（20）は、脚を伸ばした時テーブル本体の下底を支持する支持バー（21）と、上記の支持バー（21）の両端から垂直または鈍角をなすように延長してテーブル本体を支持する延長部（22）から構成され、
上記のテーブル脚の支持部（30）にテーブル本体の下底に回転出来る様に一つの端が&#32363;がれ、また、他の端はテーブル脚（20）の延長部（22）に回転出来る様に連結され、
上記のテーブル脚の締結部（40）は、テーブルの本体の下底でテーブルの両縁近くに固定的に設置されて上記テーブル脚（20）の支持バー(20)と着脱出来る様に結合してテーブル脚を固定するように構成されることを特徴とする携帯用折り畳み式テーブル。
【請求項２】
上記のテーブル脚の支持部（30）は、テーブルの本体（10）の下底に設置される連結手段（C）に回転出来るように連結される回転連結部（31）と、上記の回転連結部の両端部から直角に延長されその端部（32’1）がテーブル脚の延長部（22）の側面にあるホーム（H）に回転出来るように挿入される回転支持部（32）から構成されることを特徴とする請求項１に記載の携帯用折り畳み式テーブル。
【請求項３】
上記のテーブル脚の締結部（40）は、上記のテーブル脚を伸ばす時支持バー（21）が挿入される支持バー挿入口（41）が形成される、コの字形の端面を持つ部材であり、上記の支持バー挿入口（41）がテーブルの縁に向かうように配置され、上記のテーブル脚の締結部はテーブル脚を折った時、テーブル本体の縁から見てテーブル脚の内側、特にテーブル脚の支持バーを経て内側に設置されることを特徴とする請求項１または２に記載の携帯用折り畳み式テーブル。
【請求項４】
上記のテーブル本体の下底からテーブルの両縁側において、テーブルの縁からテーブル内側に2つ以上の上記のテーブル脚の締結部（40）を設置して、テーブル脚の支持バー（21）を選択的に締結することでテーブルの高さを調節できることを特徴とする請求項３に記載の携帯用折り畳み式テーブル。
【発明の詳細な説明】
【技術分野】
【０００１】
本発明は、携帯用折り畳み式テーブルに関する。特にキャンピングや野外会合の時使いやすくて便利になるよう、単純な構造で脚を折り畳んだり伸ばしたり出来る上、脚を伸ばした状態で安定的に固定及び維持出来る携帯用折り畳み式テーブルに関する。
【背景技術】
【０００２】
最近韓国の経済がますます発展するに従ってキャンプやアウトドアライフがより一般に行われるようになっており、こうした活動に伴う物品の需要が増加している。その中でも食事やその準備などをするためのテーブルは必須のもので、携帯に便利で安定して設置できるテーブルに対する要求が高まっている。
【０００３】
一般的にほとんどのテーブルはテーブル上板（天板）と脚が互いに附着固定された状態で一つのテーブルとして発売されて使用するようになっている。このように従来のテーブルはその占有体積が大きいため運搬や取り扱いの時場所を占めて運搬費用が増加し取り扱いがわずらわしいという問題点がある。
【０００４】
また、従来の折り畳み式の上板を持つ本発明以前の製品の場合は、上板を支持する脚の構造が不安定であったり、調節が難しくて実際に支持できる荷重に制限がある場合が多い。
【０００５】
これらの問題点を解決するため、特許文献１〔韓国実用新案登録第181655号(2000.05.15)〕、特許文献２〔韓国実用新案登録第398598号(2005.10.13)〕、さらに特許文献３〔韓国特許第1082697号(2011.11.15)〕では携帯折り畳み式テーブルが提案されている。
【０００６】
特許文献１（韓国実用新案登録第181655号）では、テーブルのフレームに脚が回転できるように設置し、テーブルのフレームと脚の間に折り畳み式支持リンク(113)を設置して伸ばした脚を支持するようにしている。しかし、支持リンクが折り畳み式に構成されるため、支持リンクが脚を支持する上で比較的不安定になることがある。つまり不注意によって折り畳む部分が折れると脚も折れて事故が発生する恐れがある。
【０００７】
特許文献２（韓国実用新案登録第398598号）では、従来の家庭用のテーブルと同様に脚が個別に折れるように構成している。しかしこのような構成は脚の設置に時間と費用が掛かる。また、伸ばした脚をしっかりと支持出来る別の構成が必要になるという短所がある。
【０００８】
特許文献３（韓国特許第1082697号）では、テーブルが多段に折り畳めるように構成し、またテーブルの四つの角に折り畳み式脚を設置してある。しかし、この特許もやはり脚を個別的にテーブルに設置しなければならないし、また伸ばした脚をしっかりと支持出来る別途の多少複雑な構成が必要とする短所がある。
【０００９】
従って、単純な構成で脚を折り畳めるようにして生産性が高くまた携帯に便利であり、そして使う時に安定性の保障出来る携帯用折り畳み式のテーブルを提供することが望ましい。
【先行技術文献】
【特許文献】
【００１０】
【特許文献１】韓国実用新案登録第181655号公報
【特許文献２】韓国実用新案登録第398598号公報
【特許文献３】韓国特許第1082697号公報
【発明の概要】
【発明が解決しようとする課題】
【００１１】
従って、本発明の目的は単純な構成で脚を折り畳んだり伸ばしたりするのが出来る上、脚を伸ばした状態で安定的に固定及び維持出来る携帯用折り畳み式テーブルを提供することにある。
【課題を解決するための手段】
【００１２】
本発明の目的を達するために本発明による携帯用折り畳み式テーブルは、テーブル本体と；テーブル本体の下底と接続してテーブルを支持するテーブル支持バーと、その支持バーの両端から垂直または鈍角をなすように延長して実質的な脚を構成する延長部になっているテーブル脚と；テーブル本体の底に形成される連結手段に回転出来るように繋がる回転連結部と、その連結部の両端から直角に延長して端部がテーブル脚の延長部の側面に形成されたホームに回転出来るように繋がれる回転支持部に構成されるテーブル脚の支持部と；そのテーブル脚を立てた時テーブル脚の支持バーを収納して支持バーの動きを制限することでテーブル脚を支持するテーブル脚の締結部を含む。
【発明の効果】
【００１３】
本発明による携帯用折り畳み式テーブルは、従来の折り畳み式テーブルとは違ってテーブル脚をテーブルの本体の下底に直接設置せずに、テーブル脚の動きを制限する、即ち、テーブル脚をテーブルの本体の下底に着脱式に固定するためのテーブル脚の締結部とテーブル脚の支持部だけを使用するため、その構造が従来のテーブルよりかなり単純となり、より一層便利な使用が出来る。
【００１４】
また、その構造が単純であるため生産性が向上し、不良製品の発生率が減り、従来のテーブルと比べて製造単価を画期的に低くすることが出来る様になる。
また、使用者の立場でみると従来のテーブルと比べてその構造が単純であるため便利に使用出来る上、必要に応じアフターサービスが手軽に出来る。
【図面の簡単な説明】
【００１５】
【図１】本発明による携帯用折り畳み式テーブルの斜視図。
【図２】テーブル脚を折った状態で携帯用折り畳み式テーブルを下から見た斜視図。
【図３】テーブル脚を伸ばす過程に携帯用折り畳み氏テーブルを下から見た斜視図。
【図４】テーブル脚を完全に伸ばした状態で携帯用折り畳み式テーブルを下から見た斜視図。
【発明を実施するための形態】
【００１６】
以下、本発明の実施形態につき図面を参照して説明する。
【００１７】
図１は本発明による携帯用折り畳み式テーブルの斜視図、図２はテーブル脚を折った状態で携帯用折り畳み式テーブルを下から見た斜視図、図３はテーブル脚を伸ばす過程に携帯用折り畳み式テーブルを下から見た斜視図、図４はテーブル脚を完全に伸ばした状態で携帯用折り畳み式テーブルを下から見た斜視図である。
【００１８】
図１に示しているように、本発明による携帯用折り畳み式テーブル(100)は、テーブル本体(10)と、テーブル本体の下底に設置されるテーブル脚(20)と、伸ばしたテーブル脚を支持するテーブル脚の支持部(30)と、伸ばしたテーブル脚を固定するテーブル脚の締結部(40)を含む。
【００１９】
上記のテーブル脚(20)は、脚を伸ばした時テーブル本体の下底を支持する支持バー(21)と、その支持バー(21)両端から垂直に又は鈍角をなすように延長して実質的にテーブル本体を支持する延長部(22)から構成される。
【００２０】
上記のテーブル脚の支持部(30)は、テーブル本体(10)下底に設置される連結手段(C)に回転できるように繋がれる回転連結部(31)とその回転連結部の両端部から直角に延長してその端部(32’1)がテーブル脚の延長部(22)側面にあるホーム(H)に回転できるように挿入される回転支持部(32)を含む。
【００２１】
上記のテーブル脚の締結部(40)は、テーブル脚を伸ばした時、テーブル脚がある程度以上動かないようにして脚を固定するためのもので、上記のテーブル脚を伸ばす時支持バー(21)が挿入される支持バー挿入口(41)は、コの字形の端面を持つ。上記の支持バー挿入口(41)の方向はテーブルの縁に向かうように位置される。
【００２２】
図2を参考しながら本発明による携帯用折り畳み式テーブル(100)の構成を見ると下記のようである。図2はテーブル脚を折った状態で携帯用折り畳み式テーブルを下から見た斜視図である。
【００２３】
図2に図示されるように、テーブル脚の支持部(30)の回転連結部(31)をテーブルの本体の下面に固定するための連結手段(C)を使用して回転連結部(31)をテーブルの本体の縁と平行するように固定する。上記の連結手段(C)はねじと同じ方法でテーブルの本体の下面に固定され、上記の回転部(31)は回転出来るように上記の連結手段に設置される。また、図面では連結手段を二つ図示したが、必要によって二つ以上を使用したり、又は回転連結部(31)の大部分を収容する一つの連結手段を使うこともできる。
【００２４】
その後、テーブル脚の支持部(30)の回転支持部(32)の端部(32’1)をテーブル脚(20)の延長部(22)の側面にあるホーム(H)に挿入させる。その端部(32’1)は上記のホーム(H)に回転できるように挿入される。
【００２５】
その後、テーブル脚締結部(40)をテーブル脚(20)の内側に、つまりテーブル本体の縁から見て、テーブル脚(20)の支持バーを過ぎてテーブル本体内側に設定する。テーブル脚の締結部(40)は、ねじのような所定の固定手段(未図示)を使ってテーブルの下底に固定され、テーブル脚の締結部(40)の支持バー挿入口(41)がテーブル本体の縁に向かうように設置される。
【００２６】
以上の通りにテーブル脚(20)、テーブル脚の支持部(30)、テーブル締結部(40)をテーブル本体(10)の下底に設置すると図2に図示されたような状態になる。つまりテーブル脚(20)はテーブル脚の支持部(30)がテーブル本体の下底に接続した状態、保管用の状態になる。
【００２７】
このような保管用の状態で、テーブルを使おうとする場合、図3に図示したようにテーブル脚(20)を持ち上げながらテーブル脚(20)の支持バー(21)がテーブル脚の締結部(40)の支持バー挿入口(41)に向かって移動するようテーブル脚(20)をテーブル脚の支持部(30)の回転支持部(32)の端部(32’1)を中心に回転させる。この際、テーブル脚の上昇と共にテーブル脚の支持部(30)の回転支持部(31)が連結手段(C)の内側で回転しながらテーブル脚の支持部(30)と一緒に上昇する。
【００２８】
その後、テーブル脚(20)の支持バー(21)を支持バー挿入口(41)に完全に挿入させて図4と同じ状態になる。そうすると、テーブルはテーブル脚の支持部(30)によってしっかりと支持され、また、テーブル脚の締結部(40)によりこれ以上回転しないように固定される。
【００２９】
本発明において、テーブル脚の締結部(40)の支持バー挿入口(41)の大きさは、支持バー(21)の大きさより大きく形成してもよいが、支持バーの挿入口に挿入されたテーブル脚の支持バー(21)が自然に離脱しないように支持バーが差し込み式に挿入出来るくらいであるのが望ましい。
【００３０】
また、本発明の携帯用折り畳み式テーブルのテーブル本体は、多数の部分に分割可能な形態で、これを、所定の締結手段を通じて連結して折り畳み式に構成することも出来る。
【００３１】
以上説明した通り、本発明による携帯用折り畳み式テーブルは、従来の折り畳み式テーブルとは違ってテーブル脚をテーブルの本体の下底に直接設置せずにテーブル脚の動きを制限する、つまりテーブル脚をテーブルの本体の下底に着脱式に固定するためのテーブル脚の締結部とテーブル脚の支持部だけを使用するため、その構造が従来のテーブルよりかなり単純である上、より一層便利な使用が出来る。また、その構造が単純であるため生産性が向上し、不良製品の発生率が減り、従来のテーブルと比べて製造単価を画期的に低くすることが出来る様になる。また、使用者の立場でみると従来のテーブルと比べてその構造が単純であるため便利に使用出来るし、必要に応じてアフターサービスが手軽に出来る。
【００３２】
なお、以上の説明では、テーブルの本体(10)の内側の一箇所に一つのテーブル脚の締結部(40)を設置した様子を図示し、これに基づいて説明したが、テーブルの本体の下側に二つ以上のテーブル脚の締結部を形成することも出来る。つまりテーブルの縁にテーブルの内側の方に二つ以上のテーブル脚の締結部を形成出来る。このように二つ以上のテーブル脚の締結部を形成する場合には、テーブルの高さを調節出来る様になる。つまりテーブルの縁から一番近い所にあるテーブル脚の締結部にテーブル脚(20)の支持バー(21)を固定させる場合と、テーブルの縁から一番遠い所にあるテーブル脚の締結部にテーブル脚の支持バーを固定する場合はテーブル脚が伸ばす角度がお互いに違う。つまりテーブルの縁から一番近くあるテーブル脚の締結部にテーブル脚を固定するとテーブルの高さが一番高くなり、テーブル脚の縁から一番遠くあるテーブル脚の締結部にテーブル脚を固定する場合には一番低くなる。つまり本発明によるテーブルは別の複雑な器具を使用せずにテーブルの高さの調節が出来る。
【図１】
2013223725.tif 000003
【図２】
2013223725.tif 000004
【図３】
2013223725.tif 000005
【図４】
2013223725.tif 000006